(57)【要約】【課題】安全且つ確実に作業を行うことができることに加えて、簡易な構造にて簡単に設置できるウインチの遠隔操作構造を提供する。【解決手段】電柱１００にウインチ２を取り付ける際、遠隔操作可能となる遠隔操作装置４が用いられる。遠隔操作装置４は、電柱１００に巻き締め固定可能な台座６と、この台座６の側方から挿入して固定できる２本の支持ロッド１６と、この支持ロッド１６を前面側から台座６に固定する２本の固定ピン１２と、支持ロッド１６と平行に支持される回転力伝達棒とを備えている。回転力伝達棒１４の一端にはハンドル２２から回転力を受ける入力具１４ｂを有し、他端には、支持ロッド１６の台座６への接続の際、同時にウインチ２の入力部２ｂへ接続される出力具１４ｃを有している。【選択図】図１
2015101481.tif 000002
【特許請求の範囲】
【請求項１】
電柱上でウインチを遠隔操作可能に保持する構造であって、
前記ウインチを載置できると共に前記電柱へ巻き締め固定できる台座と、
パイプ部材の一端に設けられた入力具から入力される回転力を、内蔵された回転軸を介して、他端に設けられた出力具へ伝達可能な回転力伝達棒と、
前記回転力伝達棒と一体に設けられ、前記出力具が前記ウインチの入力部へ連結される状態で前記台座へ接続可能な接続部を有する支持部材と、
を備えたことを特徴とするウインチの遠隔操作構造。
【請求項２】
前記支持部材を構成し、前記回転力伝達棒と略平行に配置された複数の支持ロッドと、
前記台座において前記ウインチの回転の軸に直交する面に設けられ、複数の前記支持ロッドのそれぞれの前記接続部が挿入可能な複数の貫通孔が形成された側板と、
前記貫通孔に貫通配置された前記接続部と前記台座とを共に貫通して、前記支持ロッドを前記台座に固定できる固定ピンと、
を備えたことを特徴とする請求項１に記載のウインチの遠隔操作構造。
【請求項３】
前記入力具には、外部から入力される回転力を受けることのできる工具連結部を複数の方向に向けて設けられていることを特徴とする請求項１又は２に記載のウインチの遠隔操作構造。
【発明の詳細な説明】
【技術分野】
【０００１】
本発明は、電柱の工事に使用されるウインチに用いられて、安全を確保して確実な作業を行うことを可能にするウインチの遠隔操作構造に関するものである。
【背景技術】
【０００２】
従来より、架空電線路等の工事を行う際、電柱の上方へ工事用荷物を揚げるために、電柱に取り付けることができる手巻式のウインチが用いられている。
【０００３】
この種のウインチとしては、本体フレームと、本体フレームに回動自在に支持されてワイヤが巻回されたドラムと、ドラムの回転軸に連結された歯車伝達機構と、歯車伝達機構に連結された入力軸を備えたものがある。このウインチを電柱の下部に取り付けると共に滑車を電柱の上部に取り付け、ドラムから引き出したワイヤを電柱に沿って上方へ引き伸ばして滑車に掛け回す。この後、電柱沿いに下方へ引き伸ばして下端にフックを取り付ける。そして、このフックを碍子等の工事用荷物に掛け、入力軸に連結したウインチハンドルを作業者が回転操作する。これにより、ドラムにワイヤを巻き取ってワイヤのフックを滑車側に巻き上げ、工事用荷物を電柱の上部に揚げるようにしている。
【０００４】
しかしながら、このような構成でウインチを用いる場合、作業者の安全確保が不十分であるという問題がある。具体的には、ウインチハンドルをウインチの入力軸に直結するので、作業者は電柱のウインチに近接してハンドル操作を行わなくてはならない。一方、工事用荷物は、電柱の上部へ滑車に向かって持ち上げられるので、ウインチの近傍にいる作業者の略直上に位置することになる。したがって、工事用荷物が、上昇途中に振動や荷崩れ等によって落下した場合、落下した荷物が作業者を直撃する恐れがある。
【０００５】
このような問題を解消するために、本願出願人は、ウインチから離れた位置から遠隔操作が可能な電柱取付ウインチの遠隔操作装置を発明（特許文献１参照）した。この電柱取付ウインチ遠隔操作装置の全体構成を図６に示す。
【０００６】
図６には、手動式のウインチ１０２が電柱１００に取り付けられている様子が示されている。このように電柱１００にウインチ１０２を取り付けるには、先ず、電柱１００のやや上方に対して、下端にフックを有する支持ワイヤ１０１を取り付ける。そして、ウインチ１０２を上記支持ワイヤ１０１のフックに仮預け状態で引っ掛ける。続いて、仮預け状態のウインチ１０２の背面の上端及び下端をチェーン１０３で固定する。固定されたウインチ１０２の入力部１０２ａには、回転力を伝達できるパイプ部材１０４が接続される。このパイプ部材１０４の端部には外力を入力するためにウインチハンドル１０６を連結することのできるハンドル連結部１０４ａが設けられている。また、パイプ部材１０４は、電柱１００へ斜めに渡した支持ロッド１０５により中間部分を支持されている。このような構成により、作業者は、ウインチ１０２の略直上に持ち上げられる工事用荷物の直下から外れた位置にて、ウインチハンドル１０６を用いて安全に遠隔操作をすることが可能となる。
【先行技術文献】
【特許文献】
【０００７】
【特許文献１】特開２００８−２２２３８４号公報
【発明の概要】
【発明が解決しようとする課題】
【０００８】
しかしながら、上記従来の電柱取付ウインチ１０２の遠隔操作装置１１０では、安全且
つ確実に作業を行うことができるものの、設置作業がやや煩雑である。すなわち、遠隔操作を行うためにウインチハンドル１０６とウインチ１０２との間に設けられたパイプ部材１０４を支持するために支持ロッド１０５を取り付け、更に固定部材を用いてその支持ロッド１０５を電柱１００に固定しなければならない。
【０００９】
そこで、本発明では、安全且つ確実に作業を行うことができることに加えて、簡易な構造にて簡単に設置できるウインチの遠隔操作構造を提供することを目的とする。
【課題を解決するための手段】
【００１０】
上記目的を達成するために、本発明のウインチの遠隔操作構造は、電柱上でウインチを遠隔操作可能に保持する構造であって、ウインチを載置できると共に電柱へ巻き締め固定できる台座と、パイプ部材の一端に設けられた入力具から入力される回転力を、内蔵された回転軸を介して、他端に設けられた出力具へ伝達可能な回転力伝達棒と、回転力伝達棒と一体に設けられ、出力具がウインチの入力部へ連結される状態で台座へ接続可能な接続部を有する支持部材と、を備えたことを特徴とする。
【００１１】
また、本発明のウインチの遠隔操作構造は、上記構成に加えて、支持部材を構成し、回転力伝達棒と略平行に配置された複数の支持ロッドと、台座においてウインチの回転の軸に直交する面に設けられ、複数の支持ロッドのそれぞれの接続部が挿入可能な複数の貫通孔が形成された側板と、貫通孔に貫通配置された接続部と台座とを共に貫通して、支持ロッドを台座に固定できる固定ピンと、を備えたことを特徴とする。
【００１２】
また、本発明のウインチの遠隔操作構造は、上記構成に加えて、入力具には、外部から入力される回転力を受けることのできる工具連結部を複数の方向に向けて設けられていることを特徴とする。
【発明の効果】
【００１３】
以上のように、本発明によれば、回転力伝達棒と支持部材とが一体に形成されており、且つ、支持部材の接続部が台座に対して接続された状態において、回転力伝達棒の出力具とウインチの入力部とが一致するように構成されているので、遠隔操作構造をウインチに組み付ける際、位置合わせが容易となり、作業効率の向上を図ることが可能となる。
【００１４】
また、本発明によれば、上記効果に加えて、支持部材が、回転力伝達棒と略平行に配置された複数の支持ロッドで構成されているので、支持ロッドを台座へ向かって挿し込むという一方向への動作により、回転力伝達棒の出力具とウインチの入力部との位置合わせを行うことができる。このため、さらに作業効率の向上を図ることが可能である。また、台座に挿し込まれた支持ロッドは、台座と共に固定ピンによって貫通固定されるので、出力具と入力部（ウインチ側）との接続状態が安定し、作業の安全性の向上を図ることが可能となる。
【００１５】
また、本発明によれば、上記構成に加えて、入力具には、外部からの回転入力を受けることのできる工具連結部を複数の方向に向けて設けられているので、現場の状況に応じて何れかの工具連結部を選択して対応（操作）することができる。
【図面の簡単な説明】
【００１６】
【図１】本発明の実施の形態に係るウインチの遠隔操作装置を示す図である。
【図２】図１のウインチの遠隔操作装置において、回転力伝達棒を台座から分離した状態を示した拡大図である。
【図３】図１のウインチの遠隔操作装置の台座を回転力伝達棒の略中心位置で切断した横断面図である。
【図４】図１のウインチの遠隔操作装置の台座のみを示しており、（ａ）は正面側、（ｂ）は電柱に当接する側から見た斜視図である。
【図５】図１のウインチの遠隔操作装置において、台座のみ略中央の縦断面で示した一部破断側面図である。
【図６】従来の電柱取付ウインチの遠隔操作装置を示す図である。
【発明を実施するための形態】
【００１７】
以下、本発明の実施の形態に係るウインチの遠隔操作構造について、図を用いて説明する。
【００１８】
図１は、本発明に係るウインチの遠隔操作装置を示している。図１には、電柱１００に取り付けられたウインチ２の使用状態が示されている。本実施の形態では、遠隔操作装置４は、主として、以下で説明する台座６、固定ピン１２、支持ロッド１６及び回転力伝達棒１４等を備えている。
【００１９】
ウインチ２は電柱１００の手前側へ傾斜した台座６に載置されている。台座６は背面に設けられた背面フック受け部８がチェーンブロック１８（簡略化して図示している）を用いて電柱１００へ巻き締め固定されている。このように巻き締め固定する際、予め、電柱１００に対して仮預けするために、仮預けフック２０が用いられる。この仮預けのための台座６の構成については、後に図４、５を用いて説明する。
【００２０】
図１では、ウインチ２のドラム部２ｃの回転軸は、一点鎖線で描いたドラム回転軸２ｄで示されている。このドラム回転軸２ｄの軸方向と略平行に延びるようにして、台座６の側面の接続貫通孔６ａに２本の支持ロッド１６が平行に接続されている。これら２本の支持ロッド１６は、平行に延びる回転力伝達棒１４を支えるために設けられているものである。
【００２１】
回転力伝達棒１４は、一端にハンドル２２又は電動ドリルドライバー２３等の入力手段からの入力を受けることのできる入力具１４ｂを有している。本実施の形態に係る遠隔操作装置４では、ドラム回転軸２ｄと平行な方向（ドライバービット嵌合部３０）のみならず、ドラム回転軸２ｄと直交する２方向（ドライバービット嵌合部３１、３２）からもハンドル２２又は電動ドリルドライバー２３等が連結可能となるような入力具１４ｂを備えている。これにより、作業の自由度の向上が図られる。すなわち、商用電源からの電力供給や、油圧、エアー等の供給が可能な環境であれば、駆動源からのケーブル等の引き廻しに制限が生じる場合であっても、状況に応じて接続可能なドライバービット嵌合部３０〜３２（工具連結部）を選択できるので、上述のハンドル２２、電動ドリルドライバー２３に代えて商用電源対応の電動ドリルドライバーや、油圧又はエアー駆動によるドライバーを用いることもできる。
【００２２】
回転力伝達棒１４には回転軸１４ａが内蔵されており、他端側の出力具１４ｃへ回転力を伝達することができる。ここでは便宜的に、内蔵された回転軸部材を一点鎖線の回転軸１４ａとして示している。出力具１４ｃの先端は、ウインチ２へ回転力が入力される入力部２ｂに対して脱着可能に構成されている。このように、２本の支持ロッド１６が台座６に対して接続された状態において、回転力伝達棒１４の出力具１４ｃがウインチ２の入力部２ｂに接続された状態となる。
【００２３】
台座６の前面に配置されている２本の固定ピン１２は、支持ロッド１６を台座６に対して固定するために用いられている。この支持ロッド１６の固定構造を示すために、図２に分解した状態を示す。
【００２４】
図２は、図１のウインチ２の遠隔操作装置４において、回転力伝達棒１４を台座６から分離した状態を拡大図により示している。上述のように、２本の支持ロッド１６は、台座６の側方に形成された２箇所の接続貫通孔６ａに先端の接続部１６ａを挿入するようにして接続される。この接続部１６ａには、それぞれ、２箇所の接続孔１６ｂが形成されている。図１に示した使用状態では、台座６の内部において、上記接続孔１６ｂに、２本の固定ピン１２のそれぞれが貫通する状態で支持ロッド１６が固定されている。このように構成されているので、支持ロッド１６を台座６の接続貫通孔６ａに合わせて挿し込むだけで、回転力伝達棒１４の出力具１４ｃの先端（六角軸など）を、位置合わせを意識することなく容易にウインチ２の入力部２ｂに嵌合することができる。次に、この支持ロッド１６の固定状態を図３に示す。
【００２５】
図３は、図１のウインチ２の遠隔操作装置４の台座６を回転力伝達棒１４の略中心位置で切断した横断面を示している。この図３から分かるように、支持ロッド１６は接続部１６ａの部分が台座６の内部において、台座６と共に固定ピン貫通孔６ｂから挿入された固定ピン１２によって貫通固定されている。このため支持ロッド１６の長手方向への移動が規制されるので、ハンドル２２によりウインチ２を操作する際（図１を参照）、回転軸１４ａの出力具１４ｃとウインチ２の入力部２ｂとの結合が確実に保持される。また、本実施の形態に係る固定ピン１２は、操作側の端部がアイボルトで構成されているので、ウインチ２による作業が完了した状態において、解除工具等を引っ掛けることにより、安全な遠隔位置から容易に固定ピン１２を回転させながら引き抜くことも可能である。
【００２６】
続いて、台座６のみの構成について図４を用いて説明する。図４は、図１のウインチ２の遠隔操作装置４の台座６のみを示しており、（ａ）は正面側、（ｂ）は電柱１００に当接する側から見た斜視図を示している。この図４から分かるように、台座６の上面には傾斜面６ｃが形成されている。このようにウインチ２を載置する上面に傾斜面６ｃが形成されているので、ウインチ２のドラム部２ｃを電柱１００から離れた位置に配置することが可能である（図１を参照）。この状態について図５を合わせて説明する。図５は、図１のウインチ２の遠隔操作装置４において、台座６のみ略中央の縦断面で示した一部破断側面図である。図５を参照して、上述のように、台座６の上面に傾斜面６ｃが形成されているので、ウインチ２のドラム部２ｃを電柱１００から離して配置することができ、これによって、ワイヤロープ２ａを電柱１００から所定の距離（図５では距離Ｄ）だけ離して配置できる。上記の図１の説明において、ウインチ２を電柱１００に取り付ける際、予め、台座６を電柱１００に仮預けすることについて簡単に述べた。この仮預けの段階において、ウインチ２と電柱１００との間にある程度の空間が形成されていると、仮預けフック２０を仮預けフック受け部１０に対して引っ掛ける作業が容易になる。本実施の形態に係る台座６では、仮預けフック受け部１０は、図５の一点鎖線で示したように、鉛直方向に対して角度θだけウインチ２側へ傾いている。すなわち、仮預けフック２０と仮預けフック受け部１０との係合作業を容易にすることに加えて、仮預け時の重心がウインチ２側へ移動することにより全体の安定性が向上するので、安全に作業を行うことが可能となる。
【００２７】
ここで図４に戻って、台座６の背面には上下に２つずつ背面フック受け部８が設けられている。これにより、仮預けの際に、仮預けフック受け部１０を支点として、ウインチ２側の重量が、電柱１００の側面に伝わる（図５を参照）。すなわち、４つの背面フック受け部８が電柱１００の筒状の側面に押し付けられる際に、台座６は略水平を保って４点で安定して保持される。このため、チェーンブロック１８を用いて行われる本固定の作業へスムーズに移行することができる。また、電柱１００に対して４点接触で安定して固定されているので、ハンドル２２等による巻き上げ操作を行う場合においても、ドラム回転軸２ｄがぶれることはない（図１を参照）。したがって、ワイヤロープ２ａのドラム部２ｃへの乱巻きを防止することも可能である。
【００２８】
以上述べてきたように、本発明によれば、ウインチ２の入力部２ｂと、回転力伝達棒１４の出力具１４ｃとの接続構造のように、細かな部材同士の接続を意識しなくても、台座６と支持ロッド１６の接続部１６ａのような比較的大きな部材同士を接続するだけで、設置が完了するので、作業効率を大幅に向上させることが可能である。
【００２９】
また、ウインチ２と回転力伝達棒１４とが、支持ロッド１６や台座６を介して一体に固定されるので、回転力伝達棒１４を電柱１００に対して別途固定する必要もない。したがって、作業時間の短縮化や、製品のコストの低減なども可能になる。
【００３０】
尚、上記の実施の形態では、回転力伝達棒１４を台座６に固定する支持手段として、２本の支持ロッド１６を平行に配置する構成を例として示した。しかし、支持手段を台座６に接続した際に、同時に、回転力伝達棒１４の出力具１４ｃをウインチ２の入力部２ｂに連結できる構成であれば、平行でなくても構わず、さらに、１本でも３本以上でも構わない。
【００３１】
また、上記の実施の形態では、台座６の上面に傾斜面６ｃが形成されている例を示した。しかし、電柱１００から離れる方向に低くなる傾斜面６ｃである必要はなく、例えば、水平面上にウインチを載置する構成であっても構わない。
【００３２】
また、上記の実施の形態では、台座６の背面側に仮預けフック２０が設けられた構成を例として示したが、仮預けフック２０が設けられていなくても構わない。
【００３３】
また、上記の実施の形態では、台座６に対して２本の支持ロッド１６を固定するために、台座６の前面側から両者を貫通固定する構成を例として示した。しかし、前面から貫通固定する構成に限らない。例えば、支持ロッド１６の長手方向に対して交差する方向から貫通して台座６に固定する構成であれば、支持ロッド１６の長手方向への動きを同様に安定して規制することが可能である。また、複数の支持ロッド１６の全てを貫通させて固定する必要もない。すなわち、少なくとも１本の支持ロッド１６を貫通させて台座６と共に固定できれば、上記実施の形態と同様の効果を得ることが可能である。
【００３４】
また、上記実施の形態では、回転力伝達棒１４に対して回転力を入力手段として、手動式のハンドル２２を接続する構成を例として示したが、例えば、電動式の回転力入力手段であっても構わない。
【００３５】
また、上記実施の形態では、回転力伝達棒１４の入力具１４ｂには、ドライバービット嵌合部３０〜３２が設けられている３方向から入力が可能となる構成を例として示したが、少なくとも１方向から入力できる構成であれば、同様の効果を得ることは可能である。また、上面側や下面側にドライバービット嵌合部が設けられていても構わない。
【００３６】
また、上記実施の形態では、回転力伝達棒１４として、３面にドライバービット嵌合部３０〜３２を有した６面体の入力具１４ｂが設けられている構成を例として示した。しかし、これに限らず、例えば、自在継手等の構造を有するフレキシブルシャフトの端部に工具連結部を備えた入力具を採用しても構わない。この場合、作業途中であっても入力方向を自由に変化させることができるので、さらに作業効率の向上が図られる。
【産業上の利用可能性】
【００３７】
本発明に係るウインチの遠隔操作構造によれば、ウインチに対して離れた所から巻き上げ操作を行うことができ、特に、電柱に安定して固定できるので、トランス等の重量物の吊上げ・吊下ろし作業に有用である。
【符号の説明】
【００３８】
２     ウインチ
２ａ   ワイヤロープ
２ｂ   入力部
２ｃ   ドラム部
２ｄ   ドラム回転軸
４     遠隔操作装置（遠隔操作構造）
６     台座
６ａ   接続貫通孔
６ｂ   固定ピン貫通孔
８     背面フック受け部
１０   仮預けフック受け部
１２   固定ピン
１４   回転力伝達棒
１４ａ 回転軸
１４ｂ 入力具
１４ｃ 出力具
１６   支持ロッド（支持部材）
１６ａ 接続部
１６ｂ 接続孔
１８   チェーンブロック
２０   仮預けフック
２２   ハンドル
３０、３１、３２  ドライバービット嵌合部（工具連結部）
１００ 電柱
【図１】
2015101481.tif 000003
【図２】
2015101481.tif 000004
【図３】
2015101481.tif 000005
【図４】
2015101481.tif 000006
【図５】
2015101481.tif 000007
【図６】
2015101481.tif 000008